(57)【要約】【課題】撮影画像に記録されている位置情報に基づいて、ネットワーク上の撮影画像に関する種々のサービスを効率よく利用することが可能な、新規かつ改良された画像処理装置を提供する。【解決手段】ユーザにより選択された画像データから位置情報を抽出する位置情報抽出部と、通信網を介して各種サーバとデータを送受信する通信制御部と、位置情報抽出部により抽出された位置情報に対応する地図画像を地図情報提供サーバから取得する地図画像取得部と、位置情報抽出部により抽出された位置情報に対応するランドマーク情報をランドマーク情報提供サーバから取得するランドマーク情報取得部と、ランドマーク情報取得部が取得したランドマーク情報に対応する関連画像を画像共有サーバから取得する関連画像取得部と、ユーザにより選択された画像データ、地図画像、ランドマーク情報および関連画像を表示する表示部と、を備えた。【選択図】図１
2010128709.tif 000002
【特許請求の範囲】
【請求項１】
ユーザにより選択された画像データから位置情報を抽出する位置情報抽出部と；
地図画像を提供する地図情報提供サーバ、ランドマークに関するランドマーク情報を提供するランドマーク情報提供サーバ、および画像データをインターネット上で公開するサービスを提供する画像共有サーバと通信網を介してデータを送受信する通信制御部と；
前記通信制御部を介して、前記位置情報抽出部により抽出された位置情報を前記地図情報提供サーバへ送信し、前記抽出された位置情報に対応する地図画像を前記地図情報提供サーバから取得する地図画像取得部と；
前記通信制御部を介して、前記位置情報抽出部により抽出された位置情報を前記ランドマーク情報提供サーバへ送信し、前記抽出された位置情報に対応するランドマーク情報を前記ランドマーク情報提供サーバから取得するランドマーク情報取得部と；
前記通信制御部を介して、前記ランドマーク情報取得部が取得したランドマーク情報を前記画像共有サーバへ送信し、前記取得したランドマーク情報に対応する関連画像を前記画像共有サーバから取得する関連画像取得部と；
前記ユーザにより選択された画像データと、前記地図情報提供サーバから取得した地図画像と、前記ランドマーク情報提供サーバから取得したランドマーク情報と、前記画像共有サーバから取得した関連画像と、を表示する表示部と；
を備える画像処理装置。
【請求項２】
前記表示部は、前記地図情報提供サーバから取得した地図画像に、前記画像データと、前記ランドマーク情報と、前記関連画像とをそれぞれ対応する位置に重ねて表示する、請求項１に記載の画像処理装置。
【請求項３】
前記表示部は、前記関連画像取得部が取得した複数の関連画像を順次表示する、請求項２に記載の画像処理装置。
【請求項４】
前記表示部は、前記関連画像に記録されている撮影日時に基づいて、前記ユーザにより選択された画像の撮影日時と近い順番で前記関連画像を順次表示する、請求項３に記載の画像処理装置。
【請求項５】
前記ランドマーク情報取得部が取得するランドマーク情報は、前記位置情報抽出部により抽出された位置情報に対応する位置の周辺に存在するランドマークに関連する情報である、請求項４に記載の画像処理装置。
【請求項６】
前記関連画像取得部が取得する関連画像は、前記画像共有サーバがインターネット上で公開している画像データのうち、前記ランドマーク情報取得部が取得したランドマーク情報がタグ情報として記録されている画像データである、請求項５に記載の画像処理装置。
【請求項７】
前記ユーザにより選択された画像データに前記ランドマーク情報取得部が取得したランドマーク情報を付加して前記画像共有サーバへ送信し、該画像共有サーバが提供するインターネット上の画像共有サービスで前記画像データを公開するように要求する画像データアップロード制御部をさらに備える、請求項１〜６に記載の画像処理装置。
【請求項８】
ユーザにより選択された画像データから位置情報を抽出する位置情報抽出ステップと；
前記位置情報抽出ステップにより抽出された位置情報を、地図画像を提供する地図情報提供サーバへ通信網を介して送信し、前記抽出された位置情報に対応する地図画像を前記地図情報提供サーバから取得する地図画像取得ステップと；
前記位置情報抽出ステップにより抽出された位置情報を、ランドマークに関するランドマーク情報を提供するランドマーク情報提供サーバへ前記通信網を介して送信し、前記抽出された位置情報に対応するランドマーク情報を前記ランドマーク情報提供サーバから取得するランドマーク情報取得ステップと；
前記ランドマーク情報取得ステップにより取得したランドマーク情報を、前記画像共有サーバへ前記通信網を介して送信し、前記取得したランドマーク情報に対応する関連画像を前記画像共有サーバから取得する関連画像取得ステップと；
前記ユーザにより選択された画像データと、前記地図情報取得ステップにより取得した地図画像と、前記ランドマーク情報取得ステップにより取得したランドマーク情報と、前記関連画像取得ステップにより取得した関連画像と、を表示する表示ステップと；
を含む画像処理方法。
【請求項９】
ユーザにより選択された画像データから位置情報を抽出する位置情報抽出処理と；
前記位置情報抽出処理により抽出された位置情報を、地図画像を提供する地図情報提供サーバへ通信網を介して送信し、前記抽出された位置情報に対応する地図画像を前記地図情報提供サーバから取得する地図画像取得処理と；
前記位置情報抽出処理により抽出された位置情報を、ランドマークに関するランドマーク情報を提供するランドマーク情報提供サーバへ前記通信網を介して送信し、前記抽出された位置情報に対応するランドマーク情報を前記ランドマーク情報提供サーバから取得するランドマーク情報取得処理と；
前記ランドマーク情報取得処理により取得したランドマーク情報を、前記画像共有サーバへ前記通信網を介して送信し、前記取得したランドマーク情報に対応する関連画像を前記画像共有サーバから取得する関連画像取得処理と；
前記ユーザにより選択された画像データと、前記地図情報取得処理により取得した地図画像と、前記ランドマーク情報取得処理により取得したランドマーク情報と、前記関連画像取得処理により取得した関連画像と、を表示する表示処理と；
をコンピュータに実行させる画像処理プログラム。
【請求項１０】
ユーザにより選択された画像データから位置情報を抽出する位置情報抽出部と；
地図画像を提供する地図情報提供サーバ、ランドマークに関するランドマーク情報を提供するランドマーク情報提供サーバ、および画像データをインターネット上で公開するサービスを提供する画像共有サーバと通信網を介してデータを送受信する通信制御部と；
前記通信制御部を介して、前記位置情報抽出部により抽出された位置情報を前記地図情報提供サーバへ送信し、前記抽出された位置情報に対応する地図画像を前記地図情報提供サーバから取得する地図画像取得部と；
前記通信制御部を介して、前記位置情報抽出部により抽出された位置情報を前記ランドマーク情報提供サーバへ送信し、前記抽出された位置情報に対応するランドマーク情報を前記ランドマーク情報提供サーバから取得するランドマーク情報取得部と；
前記通信制御部を介して、前記ランドマーク情報取得部が取得したランドマーク情報を前記画像共有サーバへ送信し、前記取得したランドマーク情報に対応する関連画像を前記画像共有サーバから取得する関連画像取得部と；
前記ユーザにより選択された画像データと、前記地図情報提供サーバから取得した地図画像と、前記ランドマーク情報提供サーバから取得したランドマーク情報と、前記画像共有サーバから取得した関連画像と、を表示する表示部と；
を備える画像処理装置と：
所定の位置情報に対応付けられた地図画像を記憶する記憶部と；
前記画像処理装置からの要求に応じて、前記記憶部に記録されている複数の地図画像の中から、前記画像処理装置から送信される前記位置情報に対応する地図画像を検索する地図画像検索部と；
前記地図画像検索部により検索された地図画像を前記画像処理装置へ通信網を介して送信する地図画像提供部と；
を備える地図画像提供サーバと：
所定の位置情報に対応付けられたランドマーク情報を記憶する記憶部と；
前記画像処理装置からの要求に応じて、前記記憶部に記録されている複数のランドマーク情報の中から、前記画像処理装置から送信される前記位置情報に対応するランドマーク情報を検索するランドマーク情報検索部と；
前記ランドマーク情報検索部により検索されたランドマーク情報を前記画像処理装置へ通信網を介して送信するランドマーク情報提供部と；
を備えるランドマーク情報提供サーバと：
ランドマーク情報を含む所定のタグ情報が記録された画像データを記憶する記憶部と；
前記画像処理装置からの要求に応じて、前記記憶部に記録されている複数の画像データの中から、前記画像処理装置から送信される前記ランドマーク情報がタグ情報に含まれている画像データを検索する関連画像検索部と；
前記関連画像検索部により検索された画像データを関連画像として前記画像処理装置へ通信網を介して送信する関連画像提供部と；
を備える画像共有サーバと：
を含んで構成される画像処理システム。
【発明の詳細な説明】
【技術分野】
【０００１】
本発明は、画像処理装置、画像処理方法、画像処理プログラムおよび画像処理システムに関する。
【背景技術】
【０００２】
近年、衛星を用いたグローバルポジショニングシステム（ＧＰＳ：Ｇｌｏｂａｌ  Ｐｏｓｉｔｉｏｎｉｎｇ  Ｓｙｓｔｅｍ）を使用した測位により、現在地点の位置情報を入手する技術が多岐にわたって利用されている。例えば、特許文献１には、携帯電話がＧＰＳ機能を備え、現在の位置情報に基づいて、現在位置の周辺地図およびランドマーク情報を画面に表示させる技術が開示されている。
【０００３】
また、携帯電話やデジタルカメラなどは、ＧＰＳ機能により撮影地点を特定し、撮影された画像データに撮影地点に関する位置情報を付加することなどができる。このようにして撮影された位置情報を含む画像データを利用した技術が、特許文献２〜５などに開示されている。
【０００４】
特許文献２には、デジタルカメラによって撮影された画像に記録されている位置情報に基づいて撮影位置やランドマーク情報などを表示させ、プリントする画像の絞込みや検索に利用することが可能なダイレクトプリンタに関する技術が開示されている。
【０００５】
また、特許文献３には、デジタルカメラが、撮影画像に記録されている位置情報に基づいて、撮影位置に近いランドマークに関する情報を含む地図を表示させる技術が開示されている。当該デジタルカメラは、地図画像やランドマーク情報のデータベースを保有している。デジタルカメラは、撮影画像を表示させる際に、撮影画像に記録されている位置情報に基づいて、撮影位置に近いランドマークに関する情報を含む地図画像を、上記データベースから抽出し、撮影画像と同時に表示させることができる。
【０００６】
また、特許文献４には、デジタルカメラによって撮影された画像に記録されている位置情報に基づいて、撮影位置に近いランドマークを検索する技術が開示されている。
【０００７】
また、特許文献５には、デジタルカメラが備えるＧＰＳ機能を利用して、メモリに記録されている過去に撮影された画像の中から、現在位置と近い位置で撮影された画像を検索する技術が開示されている。
【０００８】
このように、デジタルカメラがＧＰＳ機能を搭載し、撮影画像に位置情報を付加することにより、撮影画像の表示、検索などに当該位置情報を利用することができる。
【０００９】
また、デジタルカメラなどで撮影された画像は、単にデジタルカメラのディスプレイに表示されるだけでなく、外部機器やネットワーク上のサービスなどを利用するなど、撮影画像を利用したサービス形態の拡張が進んでいる。
【００１０】
例えば、デジタルカメラに備えられるディスプレイは小さく、バッテリの制限もあるため、ユーザは、デジタルカメラで撮影した画像を大画面のテレビやパソコンなどで表示させて楽しむことができる。また、デジタルカメラにより撮影された画像を、例えば、インターネット上の画像共有サービスサイトなどにアップロードして、公開することもできる。また、このような画像共有サービスサイトに公開されている、他人のデジタルカメラで撮影された画像を、ダウンロードすることにより取得することなどもできる。
【００１１】
【特許文献１】特開２００３−１１４６１５号公報
【特許文献２】特開２００６−１４２５０５号公報
【特許文献３】特開２００７−１６６０８４号公報
【特許文献４】特開２００７−１３３８２５号公報
【特許文献１】特開２００６−２７９７６４号公報
【発明の開示】
【発明が解決しようとする課題】
【００１２】
しかしながら、上記各特許文献に記載された技術は、撮影画像を表示させる際に撮影場所の地図画像やランドマーク情報を表示させたり、撮影画像を検索する際に位置情報を利用したりするものである。すなわち、上記各特許文献に記載されたデジタルカメラなどに関する技術は、既存の撮影画像の表示・検索などのユーザビリティを高めることを目的としているものである。
【００１３】
したがって、例えば、上述したようなネットワーク上のサービスを利用して撮影画像をダウンロードまたはアップロードする場合には、上記各特許文献に記載の技術では、撮影画像に記録されている位置情報を利用することができないという問題がある。このため、デジタルカメラにより撮影された画像を利用したサービス形態の拡張に対応した、位置情報の利用方法の提案が所望されている。
【００１４】
そこで、本発明は、上記問題に鑑みてなされたものであり、本発明の目的とするところは、撮影画像に記録されている位置情報に基づいて、ネットワーク上の撮影画像に関する種々のサービスを効率よく利用することが可能な、新規かつ改良された画像処理装置、画像処理方法、画像処理プログラム、画像処理システムを提供することにある。
【課題を解決するための手段】
【００１５】
上記課題を解決するために、本発明のある観点によれば、ユーザにより選択された画像データから位置情報を抽出する位置情報抽出部と、地図画像を提供する地図情報提供サーバ、ランドマークに関するランドマーク情報を提供するランドマーク情報提供サーバ、および画像データをインターネット上で公開するサービスを提供する画像共有サーバと通信網を介してデータを送受信する通信制御部と、前記通信制御部を介して、前記位置情報抽出部により抽出された位置情報を前記地図情報提供サーバへ送信し、前記抽出された位置情報に対応する地図画像を前記地図情報提供サーバから取得する地図画像取得部と、前記通信制御部を介して、前記位置情報抽出部により抽出された位置情報を前記ランドマーク情報提供サーバへ送信し、前記抽出された位置情報に対応するランドマーク情報を前記ランドマーク情報提供サーバから取得するランドマーク情報取得部と、前記通信制御部を介して、前記ランドマーク情報取得部が取得したランドマーク情報を前記画像共有サーバへ送信し、前記取得したランドマーク情報に対応する関連画像を前記画像共有サーバから取得する関連画像取得部と、前記ユーザにより選択された画像データと、前記地図情報提供サーバから取得した地図画像と、前記ランドマーク情報提供サーバから取得したランドマーク情報と、前記画像共有サーバから取得した関連画像とを、表示する表示部と、を備える画像処理装置が提供される。
【００１６】
係る構成により、画像処理装置の地図画像取得部は、ユーザにより選択された画像データに記録されている位置情報に対応する地図画像を地図情報提供サーバから取得することができる。また、ランドマーク情報取得部は、ユーザにより選択された画像データに記録されている位置情報に対応するランドマーク情報をランドマーク情報提供サーバから取得することができる。また、関連画像取得部は、ランドマーク情報取得部が取得したランドマーク情報に関連する関連画像を画像共有サーバから取得することができる。さらに、表示部は、ユーザにより選択された画像データと、地図情報提供サーバから取得した地図画像と、ランドマーク情報提供サーバから取得したランドマーク情報と、画像共有サーバから取得した関連画像とを表示することができる。
【００１７】
また、前記表示部は、前記地図情報提供サーバから取得した地図画像に、前記画像データと、前記ランドマーク情報と、前記関連画像とをそれぞれ対応する位置に重ねて表示することもできる。
【００１８】
また、前記表示部は、前記関連画像取得部が取得した複数の関連画像を順次表示することもできる。
【００１９】
また、前記表示部は、前記関連画像に記録されている撮影日時に基づいて、前記ユーザにより選択された画像の撮影日時と近い順番で前記関連画像を順次表示することもできる。
【００２０】
また、前記ランドマーク情報取得部が取得するランドマーク情報は、前記位置情報抽出部により抽出された位置情報に対応する位置の周辺に存在するランドマークに関連する情報であってもよい。
【００２１】
また、前記関連画像取得部が取得する関連画像は、前記画像共有サーバがインターネット上で公開している画像データのうち、前記ランドマーク情報取得部が取得したランドマーク情報がタグ情報として記録されている画像データであってもよい。
【００２２】
また、前記画像処理装置は、前記ユーザにより選択された画像データに前記ランドマーク情報取得部が取得したランドマーク情報を付加して前記画像共有サーバへ送信し、該画像共有サーバが提供するインターネット上の画像共有サービスで前記画像データを公開するように要求する画像データアップロード制御部をさらに備えてもよい。
【００２３】
また、上記課題を解決するために、本発明の別の観点によれば、ユーザにより選択された画像データから位置情報を抽出する位置情報抽出ステップと、前記位置情報抽出ステップにより抽出された位置情報を、地図画像を提供する地図情報提供サーバへ通信網を介して送信し、前記抽出された位置情報に対応する地図画像を前記地図情報提供サーバから取得する地図画像取得ステップと、前記位置情報抽出ステップにより抽出された位置情報を、ランドマークに関するランドマーク情報を提供するランドマーク情報提供サーバへ前記通信網を介して送信し、前記抽出された位置情報に対応するランドマーク情報を前記ランドマーク情報提供サーバから取得するランドマーク情報取得ステップと、前記ランドマーク情報取得ステップにより取得したランドマーク情報を、前記画像共有サーバへ前記通信網を介して送信し、前記取得したランドマーク情報に対応する関連画像を前記画像共有サーバから取得する関連画像取得ステップと、前記ユーザにより選択された画像データと、前記地図情報取得ステップにより取得した地図画像と、前記ランドマーク情報取得ステップにより取得したランドマーク情報と、前記関連画像取得ステップにより取得した関連画像と、を表示する表示ステップと、を含む画像処理方法が提供される。
【００２４】
また、上記課題を解決するために、本発明の別の観点によれば、ユーザにより選択された画像データから位置情報を抽出する位置情報抽出処理と、前記位置情報抽出処理により抽出された位置情報を、地図画像を提供する地図情報提供サーバへ通信網を介して送信し、前記抽出された位置情報に対応する地図画像を前記地図情報提供サーバから取得する地図画像取得処理と、前記位置情報抽出処理により抽出された位置情報を、ランドマークに関するランドマーク情報を提供するランドマーク情報提供サーバへ前記通信網を介して送信し、前記抽出された位置情報に対応するランドマーク情報を前記ランドマーク情報提供サーバから取得するランドマーク情報取得処理と、前記ランドマーク情報取得処理により取得したランドマーク情報を、前記画像共有サーバへ前記通信網を介して送信し、前記取得したランドマーク情報に対応する関連画像を前記画像共有サーバから取得する関連画像取得処理と、前記ユーザにより選択された画像データと、前記地図情報取得処理により取得した地図画像と、前記ランドマーク情報取得処理により取得したランドマーク情報と、前記関連画像取得処理により取得した関連画像と、を表示する表示処理と、をコンピュータに実行させる画像処理プログラムが提供される。
【００２５】
また、上記課題を解決するために、本発明の別の観点によれば、ユーザにより選択された画像データから位置情報を抽出する位置情報抽出部と、地図画像を提供する地図情報提供サーバ、ランドマークに関するランドマーク情報を提供するランドマーク情報提供サーバ、および画像データをインターネット上で公開するサービスを提供する画像共有サーバと通信網を介してデータを送受信する通信制御部と、前記通信制御部を介して、前記位置情報抽出部により抽出された位置情報を前記地図情報提供サーバへ送信し、前記抽出された位置情報に対応する地図画像を前記地図情報提供サーバから取得する地図画像取得部と、前記通信制御部を介して、前記位置情報抽出部により抽出された位置情報を前記ランドマーク情報提供サーバへ送信し、前記抽出された位置情報に対応するランドマーク情報を前記ランドマーク情報提供サーバから取得するランドマーク情報取得部と、前記通信制御部を介して、前記ランドマーク情報取得部が取得したランドマーク情報を前記画像共有サーバへ送信し、前記取得したランドマーク情報に対応する関連画像を前記画像共有サーバから取得する関連画像取得部と、前記ユーザにより選択された画像データと、前記地図情報提供サーバから取得した地図画像と、前記ランドマーク情報提供サーバから取得したランドマーク情報と、前記画像共有サーバから取得した関連画像とを、表示する表示部と、を備える画像処理装置と、所定の位置情報に対応付けられた地図画像を記憶する記憶部と、前記画像処理装置からの要求に応じて、前記記憶部に記録されている複数の地図画像の中から、前記画像処理装置から送信される前記位置情報に対応する地図画像を検索する地図画像検索部と、前記地図画像検索部により検索された地図画像を前記画像処理装置へ通信網を介して送信する地図画像提供部と、を備える地図画像提供サーバと、所定の位置情報に対応付けられたランドマーク情報を記憶する記憶部と、前記画像処理装置からの要求に応じて、前記記憶部に記録されている複数のランドマーク情報の中から、前記画像処理装置から送信される前記位置情報に対応するランドマーク情報を検索するランドマーク情報検索部と、前記ランドマーク情報検索部により検索されたランドマーク情報を前記画像処理装置へ通信網を介して送信するランドマーク情報提供部と、を備えるランドマーク情報提供サーバと、ランドマーク情報を含む所定のタグ情報が記録された画像データを記憶する記憶部と、前記画像処理装置からの要求に応じて、前記記憶部に記録されている複数の画像データの中から、前記画像処理装置から送信される前記ランドマーク情報がタグ情報に含まれている画像データを検索する関連画像検索部と、前記関連画像検索部により検索された画像データを関連画像として前記画像処理装置へ通信網を介して送信する関連画像提供部と、を備える画像共有サーバと、を含んで構成される画像処理システムが提供される。
【発明の効果】
【００２６】
以上説明したように本発明によれば、撮影画像に記録されている位置情報に基づいて、ネットワーク上の撮影画像に関する種々のサービスを効率よく利用することが可能である。
【発明を実施するための最良の形態】
【００２７】
以下に添付図面を参照しながら、本発明の好適な実施の形態について詳細に説明する。なお、本明細書及び図面において、実質的に同一の機能構成を有する構成要素については、同一の符号を付することにより重複説明を省略する。また、説明は以下の順序で行うものとする。
１．本発明の実施形態の概要
２．実施形態の１つに係る画像処理システム１００の構成
３．テレビジョン受像機２００の機能構成
４．地図情報提供サーバ３００の機能構成
５．ランドマーク情報提供サーバ４００の機能構成
６．画像共有サーバ５００の機能構成
７．画像処理フローおよび表示例
８．変形例
９．画像処理装置のハードウェア構成
【００２８】
（１．本発明の実施形態の概要）
本発明の実施形態の１つに係る画像処理装置の詳細を説明するにあたり、まず本実施形態の概要について説明する。
【００２９】
本実施形態に係る画像処理装置は、例えばテレビジョン受像機などに代表されるように、デジタルカメラで撮影された画像データをディスプレイ上に表示させることができる装置である。なお、以下の説明においては、本実施形態に係る画像処理装置の一例として、テレビジョン受像機（以下、テレビという）を例に説明する。
【００３０】
テレビは、デジタルカメラと例えば、ＵＳＢ（Ｕｎｉｖｅｒｓａｌ  Ｓｅｒｉａｌ  Ｂｕｓ）接続されることにより、デジタルカメラ内に記録されている撮影画像を、テレビの備えるディスプレイに表示させることができる。また、テレビは、デジタルカメラで撮影された画像が記録された記録媒体、例えば、メモリースティック（登録商標）、ＳＤカード、ＤＶＤ、ＣＤなどを読み込むことにより、ディスプレイに撮影画像を表示させることもできる。
【００３１】
また、デジタルカメラ等で撮影されたデジタル画像は、通常デジタルカメラ用の画像ファイルの規格であるＥＸＩＦフォーマットで保存されている。また、ＧＰＳ（Ｇｌｏｂａｌ  Ｐｏｓｉｔｉｏｎｉｎｇ  Ｓｙｓｔｅｍ）機能を搭載したデジタルカメラで撮影された画像ファイルには、付加情報として、緯度・経度などの位置情報が記録されている。
【００３２】
近年、画像ファイルに記録された位置情報を利用したインターネット上の各種サービスが普及している。例えば、位置情報に基づいて、撮影された場所の地図情報などをインターネット上の提供サーバから取得し、画像ファイルと同時に地図情報などを表示させる技術が知られている。
【００３３】
また、ユーザは、デジタルカメラで撮影された画像ファイルを、デジタルカメラやテレビのディスプレイに表示させるだけでなく、インターネット上の各種サービスを利用して楽しむこともできる。例えば、自分で撮影した画像をインターネット上の画像共有サイトなどにアップロードして一般公開したり、他人が撮影した画像をダウンロードして閲覧したりすることもできる。
【００３４】
このような画像共有サービスでは、通常画像ファイルに、例えば、場所、人物、ジャンル、ランドマーク、イベントなどといった任意のキーワードをタグ情報として付加することができる。したがって、ユーザは、タグ情報に基づいて所望の画像ファイルを検索してダウンロードしたり、自分で撮影した画像ファイルに任意のキーワードをタグ情報として付加して、アップロードしたりすることができる。
【００３５】
本実施形態は、テレビにデジタルカメラで撮影された画像を、地図情報と同時に表示させて楽しむだけでなく、画像ファイルに記録されている位置情報に基づいて、インターネット上の画像共有サービスを効率よく利用することを可能とする。
【００３６】
具体的には、画像ファイルに記録されている位置情報に基づいて、インターネットなどの通信網を介して、当該位置情報に対応する位置の周辺に存在するランドマークに関する情報を取得する。例えば、ユーザが、テレビに表示されている所定の画像ファイルを選択した場合、テレビは、インターネット上のランドマーク情報提供サーバなどと接続し、当該画像ファイルが撮影された位置の近くに存在するランドマーク情報を取得することができる。
【００３７】
また、取得したランドマーク情報に基づいて、インターネットなどの通信網を介して、当該ランドマークに関連する画像データを取得する。例えば、ユーザが、テレビに表示されている所定のランドマーク情報を選択した場合、テレビは、インターネット上の画像共有サーバなどと接続し、タグ情報に当該ランドマーク情報が含まれる画像データを取得することができる。
【００３８】
これにより、テレビは、ユーザが撮影した画像を地図情報と共に表示させるだけでなく、画像が撮影された位置の周辺に存在するランドマークに関連する種々の写真をディスプレイに表示させることができる。この結果、ユーザは、例えば、旅行先で撮影することができなかったランドマークの写真や、他人が撮影したより綺麗な関連写真などを、自分が撮影した画像ファイルに記録されている位置情報に基づいて容易に取得・閲覧することができる。
【００３９】
すなわち、本実施形態に係るテレビは、撮影画像に記録されている位置情報に基づいて、ネットワーク上の撮影画像に関する種々のサービスを効率よく利用することが可能である。以下、このような特徴を有する画像処理装置の一例であるテレビの詳細について説明する。
【００４０】
（２．実施形態の１つに係る画像処理システム１００の構成）
まず、本実施形態の１つに係るテレビ２００を利用した画像処理システム１００の構成について説明する。図１は、本実施形態の１つに係る画像処理システム１００の全体構成を示す説明図である。
【００４１】
図１に示すように、画像処理システム１００は、テレビ２００と、インターネットなどの通信網３０を介して接続される地図情報提供サーバ３００と、ランドマーク情報提供サーバ４００と、画像共有サーバ５００と、を含んで構成される。
【００４２】
テレビ２００は、図１に示すように、デジタルカメラ１０と接続されることにより、デジタルカメラ１０に記録されている撮影画像をディスプレイに表示させることができる。なお、テレビ２００とデジタルカメラ１０との接続は有線、無線を問わず、デジタルカメラ１０に記録されている撮影画像をテレビ２００に転送することが可能であれば、特定の接続方法に限定されるものではない。
【００４３】
また、テレビ２００は、図１に示すように、記録媒体２０に記録されている画像データに基づいて、撮影画像をディスプレイに表示させることもできる。ユーザは、通常デジタルカメラ１０で撮影した画像データを、記録媒体２０に記録して携帯することができる。テレビ２００は、記録媒体２０の読み取り部などを備えることにより、記録媒体２０に記録されている画像データを読み取り、ディスプレイに撮影画像を表示させることができる。なお、記録媒体２０は、例えば、ＤＶＤメディア、コンパクトフラッシュ（登録商標）、メモリースティック（登録商標）、ＳＤメモリカード等であるが、デジタルカメラ１０で撮影された画像データを記録可能なものであれば、特定の記録媒体に限定されない。
【００４４】
テレビ２００は、通信部（図示せず）を備えることにより、インターネットなどの通信網３０を介して、ネットワーク上の各種情報提供サーバへアクセスすることができる。なお、通信網３０は、テレビ２００と、地図情報提供サーバ３００、ランドマーク情報提供サーバ４００および画像共有サーバ５００と、をそれぞれ双方向通信可能に接続する通信回線網である。この通信網３０は、例えば、インターネット、ＮＧＮ（Ｎｅｘｔ  Ｇｅｎｅｒａｔｉｏｎ  Ｎｅｔｗｏｒｋ）網、電話回線網、衛星通信網、同報通信路等の公衆回線網や、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）、Ｅｔｈｅｒｎｅｔ（登録商標）、ワイヤレスＬＡＮ等の専用回線網などで構成されており、有線／無線を問わない。
【００４５】
テレビ２００は、通信網３０を介して各種サーバへアクセスすることにより、各種サーバへ画像データに含まれる位置情報を送信したり、各種サーバから地図情報、ランドマーク情報などの所定の情報を取得したりすることができる。
【００４６】
地図情報提供サーバ３００は、インターネット上で地図情報などを提供するサーバである。地図情報提供サーバ３００は、例えば、ユーザからの要求に応じて、所定の位置に関する地図画像を提供することができる。地図情報としては、例えば、所定の範囲の地図画像、航空写真、地形画像などが含まれる。地図情報提供サーバ３００は、所定の緯度・経度などの位置情報に対応する地図情報を、あらかじめ管理しておくことができる。
【００４７】
本実施形態に係る画像処理システム１００においては、地図情報提供サーバ３００が、テレビ２００から所定の位置情報を受信すると、当該位置情報に対応する位置の地図画像をテレビ２００へ送信する。これにより、テレビ２００は、地図情報提供サーバ３００から受信した地図画像を、ディスプレイに表示させることができる。このとき、テレビ２００は、例えば、デジタルカメラ１０で撮影した画像を、撮影した場所の地図と重ねて表示させることなどもできる。これにより、ユーザは、旅行先などで撮影した画像を、旅行先の地図と合わせて閲覧して楽しむことができる。
【００４８】
ランドマーク情報提供サーバ４００は、インターネット上でランドマークに関する各種情報などを提供するサーバである。ランドマーク情報提供サーバ４００は、例えば、ユーザからの要求に応じて、所定の地域に存在するランドマークに関する情報を提供することができる。ランドマーク情報としては、例えば、ランドマークの名称、営業時間、紹介、シンボルマークなどの各種情報が含まれる。ランドマーク情報提供サーバ４００は、ランドマークの所在地を、緯度・経度などの位置情報と対応付けて、ランドマーク情報としてあらかじめ管理しておくことができる。
【００４９】
本実施形態に係る画像処理システム１００においては、ランドマーク情報提供サーバ４００が、テレビ２００から所定の位置情報を受信すると、当該位置情報に対応する位置の周辺に存在するランドマークに関する情報をテレビ２００へ送信する。これにより、テレビ２００は、ランドマーク情報提供サーバ４００から受信したランドマーク情報を、ディスプレイに表示させることができる。このとき、テレビ２００は、例えば、デジタルカメラ１０で撮影した画像を、撮影した場所の地図と重ねて表示するとともに、周辺に存在するランドマーク情報を表示させることなどもできる。これにより、ユーザは、旅行先などで撮影した画像を、旅行先の地図と合わせて閲覧するだけでなく、撮影画像の周辺に存在するランドマークに関する情報を閲覧して楽しむこともできる。
【００５０】
画像共有サーバ５００は、インターネット上で、ユーザにより撮影された種々の画像ファイルなどを公開するサーバである。ユーザは、例えば、自分で撮影した画像を、画像共有サーバ５００にアップロードし、自分以外の一般ユーザに公開することができる。また、ユーザは、例えば、画像共有サーバ５００により公開されている種々の画像のうち、気に入った画像をダウンロードして取得・閲覧等することもできる。
【００５１】
画像共有サーバ５００は、例えば、場所、位置、人物、ジャンル、ランドマーク、イベントなどといった任意のキーワードをタグ情報として、画像データに付加して管理することができる。これにより、ユーザは、当該タグ情報に基づいて所望する画像データを検索してダウンロードしたり、自分が撮影した画像データに任意のタグ情報を付加してアップロードしたりすることができる。
【００５２】
本実施形態に係る画像処理システム１００においては、画像共有サーバ５００が、テレビ２００から所定のランドマーク情報を受信すると、管理する画像データの中から、タグ情報に当該ランドマーク情報が含まれる画像データを検索し、検索した画像データをテレビ２００へ送信する。これにより、テレビ２００は、画像共有サーバ５００から受信した画像データに基づいて、要求したランドマークに関連する画像をディスプレイに表示させることができる。このとき、テレビ２００は、例えば、デジタルカメラ１０で撮影した画像を、撮影した場所の地図と重ねて表示し、周辺に存在するランドマーク情報を表示させるとともに、当該ランドマークに関連する画像を併せて表示させることなどもできる。これにより、ユーザは、旅行先などで撮影した画像を、旅行先の地図と合わせて閲覧するだけでなく、撮影画像の周辺に存在するランドマークに関する情報や、当該ランドマークに関連する画像を閲覧して楽しむこともできる。
【００５３】
以上、本実施形態に係る画像処理システム１００の全体構成について説明したが、画像処理システム１００を構成するテレビ２００、地図情報提供サーバ３００、ランドマーク情報提供サーバ４００、画像共有サーバ５００の詳細の機能構成について以下説明する。
【００５４】
（３．テレビジョン受像機２００の機能構成）
まず、本実施形態に係るテレビ２００の機能構成の詳細について説明する。図２は、本実施形態に係るテレビ２００の機能構成を示すブロック図である。
【００５５】
テレビ２００は主に、通信制御部２０２と、操作部２０４と、画像データ取得部２０６と、表示部２０８と、表示制御部２０９と、位置情報抽出部２１０と、地図画像取得部２１２と、ランドマーク情報取得部２１４と、関連画像取得部２１６と、記憶部２１８と、を含んで構成される。なお、図２に示した機能構成は、上述した本実施形態に係るテレビ２００の特徴を実現するための機能構成の一例を示したものであり、本発明はこれらに限定されるものではない。本実施形態に係るテレビ２００は、例えば、放送受信機能、番組表取得機能、コンテンツ再生機能、情報設定機能、録画機能など、一般的なテレビに備えられる各種機能も当然に備えることができる。以下、本実施形態に係るテレビ２００の特徴を実現する各機能構成部について説明する。
【００５６】
（通信制御部２０２）
通信制御部２０２は、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、通信装置等から構成される。通信制御部２０２は、テレビ２００と、地図情報提供サーバ３００、ランドマーク情報提供サーバ４００および画像共有サーバ５００との間で送受信される各種データの通信制御を行う。
【００５７】
具体的には、通信制御部２０２は、本実施形態に係るテレビ２００が備える各処理部からの要請を受け、各種のデータや信号を、地図情報提供サーバ３００、ランドマーク情報提供サーバ４００および画像共有サーバ５００へ送信する。また、通信制御部２０２は、地図情報提供サーバ３００、ランドマーク情報提供サーバ４００および画像共有サーバ５００から送信された各種のデータや信号を受信し、本実施形態に係るテレビ２００が備える各処理部へ伝送する。
【００５８】
また、通信制御部２０２は、後述する記憶部２１８を、送受信用のバッファとして利用することも可能である。
【００５９】
（操作部２０４）
操作部２０４は、例えば、ＣＰＵ、ＲＯＭ、ＲＡＭ、入力装置等から構成されており、テレビ２００に備えられたコンテンツ選択用スイッチ、電源スイッチなどの各種の入力スイッチに対してなされた操作を所定の信号に変換し、該当する処理部へ伝送する。また、操作部２０４は、例えば、外部のリモートコントローラから送信される各種操作に対応する信号を受信し、該当する処理部へ転送することもできる。
【００６０】
ユーザは、操作部２０４を直接操作したり、操作部２０４が受信可能な外部のリモートコントローラを操作したりすることにより、テレビ２００に対して、所定のコンテンツ選択、各種サーバへのアクセス、関連画像の取得などを指示することができる。
【００６１】
（画像データ取得部２０６）
画像データ取得部２０６は、デジタルカメラ１０で撮影された画像データを取得する。上述したように、テレビ２００は、デジタルカメラ１０と有線接続されることにより、デジタルカメラ１０に備えられる不揮発性の内部記録装置や、デジタルカメラ１０に挿入されている外部記憶装置などに記録されている画像データを取得することができる。画像データ取得部２０６は、このように、デジタルカメラ１０と有線接続することにより画像データを取得するための接続インターフェースなどとして機能することができる。
【００６２】
また、テレビ２００は、デジタルカメラ１０が備える赤外線通信などを利用した無線通信機能により、デジタルカメラ１０に記録されている画像データを取得することもできる。したがって、画像データ取得部２０６は、このように、デジタルカメラ１０と無線接続することにより画像データを取得するための画像データ受信部などとして機能することもできる。
【００６３】
また、テレビ２００は、デジタルカメラ１０で撮影された画像データが記録された記録媒体を読み込むことにより、当該記録媒体に記録されている画像データを取得することもできる。したがって、画像データ取得部２０６は、このように、記録媒体が着脱可能な差込口を有する記録媒体装着部などを備える記録媒体読み取り部として機能することもできる。なお、画像データ取得部２０６が読み取り可能な、記録媒体としては、例えば、メモリースティック（登録商標）、ＳＤカード、ＤＶＤ、ＣＤなどが想定されるが、画像データが記録されている記録媒体であれば、特定の種類の記録媒体に限定されるものではない。
【００６４】
このように、画像データ取得部２０６は、画像データを本実施形態に係るテレビ２００に取り込むために機能するものであれば、特定の画像データの取得方法に限定されるものではない。また、取得する画像データは、デジタルカメラ１０で撮影されたものに限定されるものではない。画像データは、位置情報を含む画像データであれば、例えば、パーソナルコンピュータに保存されていた画像データ、インターネット上からダウンロードした画像データ、撮影機能を有する携帯電話やＰＤＡなどで撮影された画像データなどであってもよい。
【００６５】
このようにして、画像データ取得部２０６により取得された画像データは、後述する記憶部２１８へ伝送されて保管される。
【００６６】
（表示部２０８）
表示部２０８は、例えば、ＣＲＴ（Ｃａｔｈｏｄｅ  Ｒａｙ  Ｔｕｂｅ）、液晶ディスプレイ、有機ＥＬディスプレイ（ｏｒｇａｎｉｃ  ＥｌｅｃｔｒｏＬｕｍｉｎｅｓｃｅｎｃｅ  ｄｉｓｐｌａｙ）などからなる表示装置である。表示部２０８は、アンテナ（図示せず）などにより放送局から受信した所定の番組や、記憶部２１８に記録されている画像データなどの所定のコンテンツなどを表示することができる。表示部２０８は、後述する表示制御部２０９により制御されて、所定のコンテンツなどを表示する。
【００６７】
（表示制御部２０９）
表示制御部２０９は、例えば、ＣＰＵ、ＲＯＭ、ＲＡＭ等から構成されており、本実施形態に係るテレビ２００が有する各処理部が、各種のデータや情報等を表示部２０８に表示させる際の表示制御を行う。表示制御部２０９は、これらの処理を行うに際して、後述する記憶部２１８等に記録されている各種のパラメータやデータベースを参照したり、後述する記憶部２１８等に記録されている各種のプログラムを実行したりしてもよい。
【００６８】
具体的には、表示制御部２０９は、記憶部２１８に記録されている画像データの一覧を表示部２０８に表示させることができる。これにより、ユーザは、画像データを閲覧することができる。また、ユーザが、表示部２０８に表示されている画像データを選択した場合、後述する地図画像取得部２１２は、当該画像データの撮影場所の地図情報を、地図情報提供サーバ３００から取得することができる。この場合、表示制御部２０９は、画像データを、地図画像取得部２１２が取得した地図画像と重ねて表示部２０８に表示させることもできる。
【００６９】
また、ユーザが、表示部２０８に表示されている画像データを選択した場合、後述するランドマーク情報取得部２１４は、当該画像データの撮影場所の周辺に存在するランドマークに関連する情報を、ランドマーク情報提供サーバ４００から取得することができる。この場合、表示制御部２０９は、ランドマーク情報取得部２１４が取得したランドマーク情報を、表示部２０８に表示させることもできる。
【００７０】
また、ユーザが、表示部２０８に表示されているランドマーク情報を選択した場合、後述する関連画像取得部２１６は、当該ランドマーク情報に関連する関連画像を、画像共有サーバ５００から取得することができる。この場合、表示制御部２０９は、関連画像取得部２１６が取得した関連画像を、地図画像取得部２１２が取得した地図画像と重ねて表示部２０８に表示させることもできる。
【００７１】
なお、表示制御部２０９により表示部２０８に表示される画像データ、地図画像、ランドマーク情報および関連画像の表示例については、後述する処理フローの説明において例示する。
【００７２】
（位置情報抽出部２１０）
位置情報抽出部２１０は、例えば、ＣＰＵ、ＲＯＭ、ＲＡＭ等から構成されており、記憶部２１８に記録されている画像データに含まれる位置情報を抽出する。上述したように、ＧＰＳ機能を搭載する撮影機能を備えたデジタルカメラ１０などで撮影された画像データには、撮影場所を表す緯度・経度を含む位置情報が記録されている。位置情報抽出部２１０は、例えば、ユーザが、表示部２０８に表示されている画像データを選択した場合に、当該画像データに含まれる位置情報を抽出することができる。位置情報抽出部２１０により抽出された位置情報は、後述する地図画像取得部２１２やランドマーク情報取得部２１４などにより、通信制御部２０２を介して、地図情報提供サーバ３００やランドマーク情報提供サーバ４００へ送信される。なお、位置情報抽出部２１０による位置情報の抽出処理や、抽出された位置情報の各サーバへの送信処理の流れについては、後述する処理フローにおいて説明する。
【００７３】
（地図画像取得部２１２）
地図画像取得部２１２は、例えば、ＣＰＵ、ＲＯＭ、ＲＡＭ等から構成されており、通信網３０を介して接続されている地図情報提供サーバ３００から、地図画像を取得する。
【００７４】
具体的には、地図画像取得部２１２は、所定の画像データの撮影場所の地図画像を要求する地図画像要求信号を、通信制御部２０２を介して地図情報提供サーバ３００へ送信する。地図画像取得部２１２は、例えば、ユーザが、表示部２０８に表示されている画像データを選択した場合に、地図画像要求信号を地図情報提供サーバ３００へ送信する。このとき、地図画像取得部２１２は、上述した位置情報抽出部２１０により抽出された位置情報を、地図画像要求信号に含めて地図情報提供サーバ３００へ送信する。これを受けて、地図情報提供サーバ３００は、地図画像要求信号に含まれる位置情報の緯度・経度に対応する地図画像を、テレビ２００へ送信することができる。
【００７５】
地図画像取得部２１２は、地図情報提供サーバ３００から送信された地図画像を受信し、後述する記憶部２１８に記録する。これにより、表示制御部２０９は、ユーザにより選択された画像データを、記憶部２１８に記録された地図画像と重ねて表示部２０８に表示させることができる。
【００７６】
また、地図画像取得部２１２は、これらの処理を行うに際して、後述する記憶部２１８等に記録されている、各種のパラメータやデータベースを参照したり、後述する記憶部２１８等に記録されている各種のプログラムを実行したりしてもよい。なお、地図画像取得部２１２による地図画像の取得処理の流れについては、後述する処理フローにおいて説明する。
【００７７】
（ランドマーク情報取得部２１４）
ランドマーク情報取得部２１４は、例えば、ＣＰＵ、ＲＯＭ、ＲＡＭ等から構成されており、通信網３０を介して接続されているランドマーク情報提供サーバ４００から、ランドマーク情報を取得する。
【００７８】
具体的には、ランドマーク情報取得部２１４は、所定の画像データの撮影場所の周辺に存在するランドマークに関する情報を要求するランドマーク情報要求信号を、通信制御部２０２を介してランドマーク情報提供サーバ４００へ送信する。ランドマーク情報取得部２１４は、例えば、ユーザが、表示部２０８に表示されている画像データを選択した場合に、ランドマーク情報要求信号をランドマーク情報提供サーバ４００へ送信する。このとき、ランドマーク情報取得部２１４は、上述した位置情報抽出部２１０により抽出された位置情報を、ランドマーク情報要求信号に含めてランドマーク情報提供サーバ４００へ送信する。これを受けて、ランドマーク情報提供サーバ４００は、ランドマーク情報要求信号に含まれる位置情報の緯度・経度に対応する位置の周辺に存在するランドマークに関連する情報を、テレビ２００へ送信することができる。
【００７９】
ランドマーク情報取得部２１４は、ランドマーク情報提供サーバ４００から送信されたランドマーク情報を受信し、後述する記憶部２１８に記録する。これにより、表示制御部２０９は、ユーザにより選択された画像データの撮影場所の周辺に存在するランドマークに関する情報を、表示部２０８に表示させることができる。
【００８０】
また、ランドマーク情報取得部２１４は、これらの処理を行うに際して、後述する記憶部２１８等に記録されている、各種のパラメータやデータベースを参照したり、後述する記憶部２１８等に記録されている各種のプログラムを実行したりしてもよい。なお、ランドマーク情報取得部２１４によるランドマーク情報の取得処理の流れについては、後述する処理フローにおいて説明する。
【００８１】
（関連画像取得部２１６）
関連画像取得部２１６は、例えば、ＣＰＵ、ＲＯＭ、ＲＡＭ等から構成されており、通信網３０を介して接続されている画像共有サーバ５００から、関連画像を取得する。
【００８２】
具体的には、関連画像取得部２１６は、所定のランドマークに関連する画像を要求する関連画像要求信号を、通信制御部２０２を介して画像共有サーバ５００へ送信する。関連画像取得部２１６は、例えば、ユーザが、表示部２０８に表示されているランドマーク情報を選択した場合に、関連画像要求信号を画像共有サーバ５００へ送信する。このとき、関連画像取得部２１６は、上述したランドマーク情報取得部２１４により取得されたランドマーク情報を、関連画像要求信号に含めて画像共有サーバ５００へ送信する。これを受けて、画像共有サーバ５００は、関連画像要求信号に含まれるランドマーク情報に基づいて、タグ情報に当該ランドマーク情報が含まれている画像を、関連画像としてテレビ２００へ送信することができる。
【００８３】
関連画像取得部２１６は、画像共有サーバ５００から送信された関連画像を受信し、後述する記憶部２１８に記録する。これにより、表示制御部２０９は、ユーザにより選択されたランドマーク情報に関連する関連画像を、表示部２０８に表示させることができる。
【００８４】
また、関連画像取得部２１６は、これらの処理を行うに際して、後述する記憶部２１８等に記録されている、各種のパラメータやデータベースを参照したり、後述する記憶部２１８等に記録されている各種のプログラムを実行したりしてもよい。なお、関連画像取得部２１６による関連画像の取得処理の流れについては、後述する処理フローにおいて説明する。
【００８５】
（記憶部２１８）
記憶部２１８には、画像データ取得部２０６が取得した画像データ、地図画像取得部２１２が取得した地図画像、ランドマーク情報取得部２１４が取得したランドマーク情報、関連画像取得部２１６が取得した関連画像などが格納されている。
【００８６】
また、記憶部２１８には、本実施形態に係るテレビ２００が、何らかの処理を行う際に保存する必要が生じた様々なパラメータや処理の途中経過等、または、各種のデータベース等が、適宜記録されてもよい。また、記憶部２１８は、通信制御部２０２、操作部２０４、画像データ取得部２０６、表示部２０８、表示制御部２０９、位置情報抽出部２１０、地図画像取得部２１２、ランドマーク情報取得部２１４、関連画像取得部２１６などが自由に読み書きできる。
【００８７】
以上、本実施形態に係るテレビ２００の機能構成の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【００８８】
（４．地図情報提供サーバ３００の機能構成）
次に、本実施形態に係る地図情報提供サーバ３００の機能構成の詳細について説明する。図３は、本実施形態に係る地図情報提供サーバ３００の機能構成を示すブロック図である。
【００８９】
図３に示すように、地図情報提供サーバ３００は主に、通信制御部３０２と、記憶部３０４と、位置情報取得部３０６と、地図画像検索部３０８と、地図画像提供部３１０と、を含んで構成される。なお、図３に示した機能構成は、上述した本実施形態に係る地図情報提供サーバ３００の特徴を実現するための機能構成の一例を示したものであり、本発明はこれらに限定されるものではない。本実施形態に係る地図情報提供サーバ３００は、例えば、操作部、表示制御部、情報管理機能、システムチェック機能、各種パラメータの設定機能など、一般的な情報提供サーバに備えられる各種機能も当然に備えることができる。以下、本実施形態に係る地図情報提供サーバ３００の特徴を実現する各機能構成部について説明する。
【００９０】
（通信制御部３０２）
通信制御部３０２は、例えば、ＣＰＵ、ＲＡＭ、通信装置等から構成されており、地図情報提供サーバ３００とテレビ２００との間で送受信される各種データの通信制御を行う。
【００９１】
具体的には、通信制御部３０２は、本実施形態に係る地図情報提供サーバ３００が備える各処理部からの要請を受け、各種のデータや信号を、テレビ２００へ送信する。また、通信制御部３０２は、テレビ２００から送信された各種のデータや信号を受信し、本実施形態に係る地図情報提供サーバ３００が備える各処理部へ伝送する。
【００９２】
また、通信制御部３０２は、後述する記憶部３０４を、送受信用のバッファとして利用することも可能である。
【００９３】
（記憶部３０４）
記憶部３０４には、地図情報提供サーバ３００が管理する地図画像が記録されている。地図画像は、所定の緯度・経度を中心とした所定範囲の地図が、所定の縮尺サイズで表現された画像である。また、記憶部３０４に記録されている地図画像はすべて、所定の緯度・経度に対応する位置を中心とした地図に関する画像である。したがって、記憶部３０４には、所定の緯度および経度の値と関連つけられた地図画像が複数記録されている。記憶部３０４に記録される複数の地図画像のうち、テレビ２００のユーザが所望する地図画像が、後述する地図画像検索部３０８によって検索され、後述する地図画像提供部３１０によって通信制御部３０２を介してテレビ２００へ送信される。
【００９４】
なお、所定の緯度・経度を中心とした所定の範囲については、例えば、テレビ２００のユーザや、地図情報提供サーバ３００の管理者などが任意に設定・変更することができるものであり、特定の範囲に限定されるものではない。また、縮尺サイズについても、テレビ２００のユーザや、地図情報提供サーバ３００の管理者などが任意に設定・変更することができるものであり、特定の縮尺サイズに限定されるものではない。また、記憶部３０４には、日本国内、海外を含めた所定の緯度・経度を中心とした地図画像が記録され、特定の場所の地図画像に限定されるものではない。
【００９５】
また、記憶部３０４には、本実施形態に係る地図情報提供サーバ３００が、何らかの処理を行う際に保存する必要が生じた様々なパラメータや処理の途中経過等、または、各種のデータベース等が、適宜記録されてもよい。また、記憶部３０４は、通信制御部３０２、位置情報取得部３０６、地図画像検索部３０８、地図画像提供部３１０などが自由に読み書きできる。
【００９６】
（位置情報取得部３０６）
位置情報取得部３０６は、例えば、ＣＰＵ、ＲＯＭ、ＲＡＭ等から構成されており、テレビ２００から送信された地図画像要求信号に含まれる位置情報を抽出する。上述したように、テレビ２００から送信される地図画像要求信号には、緯度・経度の値を含む位置情報が含まれている。したがって、位置情報取得部３０６は、テレビ２００から地図画像要求信号を受信した場合、当該地図画像要求信号に含まれる位置情報を抽出することができる。なお、位置情報取得部３０６により抽出された位置情報は、後述する地図画像検索部３０８へ転送され、テレビ２００が要求する地図画像の検索に利用される。
【００９７】
（地図画像検索部３０８）
地図画像検索部３０８は、例えば、ＣＰＵ、ＲＯＭ、ＲＡＭ等から構成されており、記憶部３０４に記録されている複数の地図画像のうち、テレビ２００を利用するユーザが所望する地図画像を検索する。すなわち、地図画像検索部３０８は、位置情報取得部３０６により抽出され位置情報に基づいて、当該位置情報に対応する地図画像を検索する。上述したように、記憶部３０４に記録されている地図画像は、所定の緯度・経度の値と対応付けられている。したがって、地図画像検索部３０８は、位置情報取得部３０６により抽出された位置情報に含まれる緯度・経度の値と一致する（もしくは、近似する）緯度・経度の値と対応付けられている地図画像を、記憶部３０４に記録されている複数の地図画像から検索できる。なお、地図画像検索部３０８により検索された地図画像は、後述する地図画像提供部３１０へ転送される。
【００９８】
（地図画像提供部３１０）
地図画像提供部３１０は、例えば、ＣＰＵ、ＲＯＭ、ＲＡＭ等から構成されており、地図画像検索部３０８により検索された地図画像をテレビ２００へ送信する。上述したように、地図画像検索部３０８により検索された地図画像は、地図画像提供部３１０へ転送される。これを受けて、地図画像提供部３１０は、転送された地図画像を、通信制御部３０２を介してテレビ２００へ送信する。
【００９９】
また、記憶部３０４には、１つの緯度・経度の値に対して複数の地図画像が記録されていることもある。例えば、同一の緯度・経度の値に対して、複数の縮尺サイズ、複数の画像サイズの地図画像が記録されていることもある。このような場合、地図画像提供部３１０は、地図画像検索部３０８により検索された複数の地図画像から、あらかじめ設定された条件、またはテレビ２００からの要求信号の内容などに応じて、任意の１の地図画像を選択してテレビ２００へ送信することもできる。なお、このように、記憶部３０４に、同一の緯度・経度に対応する地図画像が複数記録されている場合においては、上述した地図画像検索部３０８が同様に任意の１の地図画像を選択してもよい。
【０１００】
以上、本実施形態に係る地図情報提供サーバ３００の機能構成の一例を示した。地図情報提供サーバ３００は、上記のような構成を備えることにより、テレビ２００から要求される地図画像をテレビ２００へ送信することができる。なお、上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【０１０１】
（５．ランドマーク情報提供サーバ４００の機能構成）
次に、本実施形態に係るランドマーク情報提供サーバ４００の機能構成の詳細について説明する。図４は、本実施形態に係るランドマーク情報提供サーバ４００の機能構成を示すブロック図である。
【０１０２】
図４に示すように、ランドマーク情報提供サーバ４００は主に、通信制御部４０２と、記憶部４０４と、位置情報取得部４０６と、ランドマーク情報検索部４０８と、ランドマーク情報提供部４１０とを含んで構成される。なお、図４に示した機能構成は、上述した本実施形態に係るランドマーク情報提供サーバ４００の特徴を実現するための機能構成の一例を示したものであり、本発明はこれらに限定されるものではない。本実施形態に係るランドマーク情報提供サーバ４００は、例えば、操作部、表示制御部、情報管理機能、システムチェック機能、各種パラメータの設定機能など、一般的な情報提供サーバに備えられる各種機能も当然に備えることができる。以下、本実施形態に係るランドマーク情報提供サーバ４００の特徴を実現する各機能構成部について説明する。
【０１０３】
（通信制御部４０２）
通信制御部４０２は、例えば、ＣＰＵ、ＲＡＭ、通信装置等から構成されており、ランドマーク情報提供サーバ４００とテレビ２００との間で送受信される各種データの通信制御を行う。
【０１０４】
具体的には、通信制御部４０２は、本実施形態に係るランドマーク情報提供サーバ４００が備える各処理部からの要請を受け、各種のデータや信号を、テレビ２００へ送信する。また、通信制御部４０２は、テレビ２００から送信された各種のデータや信号を受信し、本実施形態に係るランドマーク情報提供サーバ４００が備える各処理部へ伝送する。
【０１０５】
また、通信制御部４０２は、後述する記憶部４０４を、送受信用のバッファとして利用することも可能である。
【０１０６】
（記憶部４０４）
記憶部４０４には、ランドマーク情報提供サーバ４００が管理するランドマーク情報が記録されている。ここで、ランドマーク情報とは、例えば、ランドマークの名称、ランドマークの説明、ランドマークの営業時間、ランドマークのシンボルマークの画像など、所定のランドマークに関する種々の情報を含むものであり、特定の情報に限定されるものではない。また、ランドマークとしては、例えば、遊園地、動物園、テーマパーク、観光名所、駅、空港、学校、などが想定されるが、特定のランドマークに限定されるものではない。
【０１０７】
また、記憶部４０４に記録されているランドマーク情報はすべて、所定の緯度・経度に対応付けられている。すなわち、ランドマーク情報には、当該ランドマークの所在地に対応する緯度・経度の値が含まれている。記憶部４０４に記録される複数のランドマーク情報のうち、テレビ２００のユーザが所望するランドマーク情報が、後述するランドマーク情報検索部４０８によって検索され、後述するランドマーク情報提供部４１０によって通信制御部４０２を介してテレビ２００へ送信される。
【０１０８】
なお、記憶部４０４には、本実施形態に係るランドマーク情報提供サーバ４００が、何らかの処理を行う際に保存する必要が生じた様々なパラメータや処理の途中経過等、または、各種のデータベース等が、適宜記録されてもよい。また、記憶部４０４は、通信制御部４０２、位置情報取得部４０６、ランドマーク情報検索部４０８、ランドマーク情報提供部４１０などが自由に読み書きできる。
【０１０９】
（位置情報取得部４０６）
位置情報取得部４０６は、例えば、ＣＰＵ、ＲＯＭ、ＲＡＭ等から構成されており、テレビ２００から送信されたランドマーク情報要求信号に含まれる位置情報を抽出する。上述したように、テレビ２００から送信されるランドマーク情報要求信号には、緯度・経度の値を含む位置情報が含まれている。したがって、位置情報取得部４０６は、テレビ２００からランドマーク情報要求信号を受信した場合、当該ランドマーク情報要求信号に含まれる位置情報を抽出することができる。なお、位置情報取得部４０６により抽出された位置情報は、後述するランドマーク情報検索部４０８へ転送され、テレビ２００が要求するランドマーク情報の検索に利用される。
【０１１０】
（ランドマーク情報検索部４０８）
ランドマーク情報検索部４０８は、例えば、ＣＰＵ、ＲＯＭ、ＲＡＭ等から構成されており、記憶部４０４に記録されている複数のランドマーク情報のうち、テレビ２００を利用するユーザが所望するランドマーク情報を検索する。すなわち、ランドマーク情報検索部４０８は、位置情報取得部４０６により抽出され位置情報に基づいて、当該位置情報に対応する位置の周辺に存在するランドマークのランドマーク情報を検索する。上述したように、記憶部４０４に記録されているランドマーク情報は、所定の緯度・経度の値と対応付けられている。したがって、ランドマーク情報検索部４０８は、位置情報取得部４０６により抽出された位置情報に含まれる緯度・経度の値と一致する、または所定の範囲内の緯度・経度の値と対応付けられているランドマーク情報を、記憶部４０４に記録されている複数のランドマーク情報から検索できる。
【０１１１】
なお、位置情報取得部４０６により抽出された位置情報に含まれる緯度・経度から、どの程度の範囲内に存在するランドマークを検索するかは、任意に設定・変更することができる。例えば、ランドマーク情報提供サーバ４００の管理者があらかじめ設定したり、テレビ２００が表示する地図画像の大きさなどに応じてテレビ２００がランドマーク情報要求信号に設定情報を含ませたりすることができる。ランドマーク情報検索部４０８は、このように管理者により設定された範囲や、ランドマーク情報要求信号により設定された範囲などに基づいて、抽出された位置情報に含まれる緯度・経度から当該設定範囲内に存在するランドマーク情報を検索することができる。
【０１１２】
なお、ランドマーク情報検索部４０８により検索されたランドマーク情報は、後述するランドマーク情報提供部４１０へ転送される。
【０１１３】
（ランドマーク情報提供部４１０）
ランドマーク情報提供部４１０は、例えば、ＣＰＵ、ＲＯＭ、ＲＡＭ等から構成されており、ランドマーク情報検索部４０８により検索されたランドマーク情報をテレビ２００へ送信する。上述したように、ランドマーク情報検索部４０８により検索されたランドマーク情報は、ランドマーク情報提供部４１０へ転送される。これを受けて、ランドマーク情報提供部４１０は、転送されたランドマーク情報を、通信制御部４０２を介してテレビ２００へ送信する。
【０１１４】
以上、本実施形態に係るランドマーク情報提供サーバ４００の機能構成の一例を示した。ランドマーク情報提供サーバ４００は、上記のような構成を備えることにより、テレビ２００から要求されるランドマーク情報をテレビ２００へ送信することができる。なお、上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【０１１５】
（６．画像共有サーバ５００の機能構成）
次に、本実施形態に係る画像共有サーバ５００の機能構成の詳細について説明する。図５は、本実施形態に係る画像共有サーバ５００の機能構成を示すブロック図である。
【０１１６】
図５に示すように、画像共有サーバ５００は主に、通信制御部５０２と、記憶部５０４と、ランドマーク情報取得部５０６と、関連画像検索部５０８と、関連画像提供部５１０とを含んで構成される。なお、図５に示した機能構成は、上述した本実施形態に係る画像共有サーバ５００の特徴を実現するための機能構成の一例を示したものであり、本発明はこれらに限定されるものではない。本実施形態に係る画像共有サーバ５００は、例えば、操作部、表示制御部、情報管理機能、システムチェック機能、各種パラメータの設定機能など、一般的な情報提供サーバに備えられる各種機能も当然に備えることができる。以下、本実施形態に係る画像共有サーバ５００の特徴を実現する各機能構成部について説明する。
【０１１７】
（通信制御部５０２）
通信制御部５０２は、例えば、ＣＰＵ、ＲＡＭ、通信装置等から構成されており、画像共有サーバ５００とテレビ２００との間で送受信される各種データの通信制御を行う。
【０１１８】
具体的には、通信制御部５０２は、本実施形態に係る画像共有サーバ５００が備える各処理部からの要請を受け、各種のデータや信号を、テレビ２００へ送信する。また、通信制御部５０２は、テレビ２００から送信された各種のデータや信号を受信し、本実施形態に係る画像共有サーバ５００が備える各処理部へ伝送する。
【０１１９】
また、通信制御部５０２は、後述する記憶部５０４を、送受信用のバッファとして利用することも可能である。
【０１２０】
（記憶部５０４）
記憶部５０４には、画像共有サーバ５００が管理する各種画像データが記録されている。上述したように、画像共有サーバ５００は、ユーザが撮影した画像をインターネット上に公開するサービスを提供するためのサーバである。したがって、記憶部５０４には、インターネット上に公開される種々の画像データが記録されている。
【０１２１】
ここで、記憶部５０４に記録されている画像データには、例えば、場所、人物、ジャンル、ランドマーク、撮影日時、イベントなどといった任意のキーワードがタグ情報として付加されている。例えば、デジタルカメラで撮影された画像データは、デジタルカメラ用の画像ファイルの規格であるＥＸＩＦフォーマットで保存されており、ＧＰＳの緯度・経度情報などの位置情報が記録されている。また、ユーザは、画像共有サーバ５００が提供するインターネット上の画像公開サービスにより画像をアップロードする際に、例えば、場所、人物、ジャンル、ランドマーク、撮影日時などといった任意のキーワードをタグ情報として付加することができる。これにより、ユーザは、画像共有サーバ５００が提供するインターネット上の画像公開サービスにおいて、任意のタグ情報に基づいて所望する画像データを容易に検索することができる。
【０１２２】
記憶部５０４に記録される複数の画像データのうち、テレビ２００のユーザが所望する画像データが、後述する関連画像検索部５０８によって検索され、後述する関連画像提供部５１０によって通信制御部５０２を介してテレビ２００へ送信される。
【０１２３】
なお、記憶部５０４には、本実施形態に係る画像共有サーバ５００が、何らかの処理を行う際に保存する必要が生じた様々なパラメータや処理の途中経過等、または、各種のデータベース等が、適宜記録されてもよい。また、記憶部５０４は、通信制御部５０２、ランドマーク情報取得部５０６、関連画像検索部５０８、関連画像提供部５１０などが自由に読み書きできる。
【０１２４】
（ランドマーク情報取得部５０６）
ランドマーク情報取得部５０６は、例えば、ＣＰＵ、ＲＯＭ、ＲＡＭ等から構成されており、テレビ２００から送信された関連画像要求信号に含まれるランドマーク情報を抽出する。上述したように、テレビ２００から送信される関連画像要求信号にはランドマーク情報が含まれている。したがって、ランドマーク情報取得部５０６は、テレビ２００から関連画像要求信号を受信した場合、当該関連画像要求信号に含まれるランドマーク情報を抽出することができる。なお、ランドマーク情報取得部５０６により抽出されたランドマーク情報は、後述する関連画像検索部５０８へ転送され、テレビ２００が要求する関連画像の検索に利用される。
【０１２５】
（関連画像検索部５０８）
関連画像検索部５０８は、例えば、ＣＰＵ、ＲＯＭ、ＲＡＭ等から構成されており、記憶部５０４に記録されている複数の画像データのうち、テレビ２００を利用するユーザが所望する画像データを検索する。すなわち、関連画像検索部５０８は、ランドマーク情報取得部５０６により抽出されランドマーク情報に基づいて、タグ情報に当該ランドマーク情報が含まれる画像データを検索する。上述したように、記憶部５０４に記録されている関連画像には、ランドマークの名称などの所定のキーワードを含むタグ情報が付加されている。したがって、関連画像検索部５０８は、例えば、ランドマーク情報取得部５０６により抽出されたランドマーク情報に含まれるランドマークの名称をタグ情報に含む画像データを、記憶部５０４に記録されている複数の画像データから検索できる。
【０１２６】
なお、関連画像検索部５０８により検索された画像データは、後述する関連画像提供部５１０へ転送される。
【０１２７】
（関連画像提供部５１０）
関連画像提供部５１０は、例えば、ＣＰＵ、ＲＯＭ、ＲＡＭ等から構成されており、関連画像検索部５０８により検索された画像データをテレビ２００へ送信する。上述したように、関連画像検索部５０８により検索された画像データは、関連画像提供部５１０へ転送される。これを受けて、関連画像提供部５１０は、転送された画像データを、関連画像として、通信制御部５０２を介してテレビ２００へ送信する。
【０１２８】
以上、本実施形態に係る画像共有サーバ５００の機能構成の一例を示した。画像共有サーバ５００は、上記のような構成を備えることにより、テレビ２００から要求される関連画像をテレビ２００へ送信することができる。なお、上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【０１２９】
（７．画像処理フローおよび表示例）
次に、上記のように構成されるテレビ２００、地図情報提供サーバ３００、ランドマーク情報提供サーバ４００および画像共有サーバ５００を含んで構成される画像処理システム１００による情報処理の流れについて、テレビ２００の表示例とあわせて説明する。図６は、本実施形態に係る画像処理システム１００において、テレビ２００が各種情報および関連画像を各サーバから取得して表示部２０８に表示させる処理の流れを示すフロー図である。
【０１３０】
図６に示すように、テレビ２００は、ステップ６００において、記憶部２１８に記録されている画像データの一覧を表示部２０８に表示させる。テレビ２００は、例えば、操作部２０４がユーザからの指示を受け付けた場合に、画像データの一覧を表示させることができる。
【０１３１】
図７は、記憶部２１８に記録されている画像データの一覧が表示される表示部２０８の一例を示す説明図である。図７を参照すると、表示部２０８には、記憶部２１８に記録されている複数の画像データが表示されていることがわかる。なお、図７は、画像データの一覧を表示する一例であり、表示部２０８に表示される画像データの数、表示位置、大きさなどはこれらに限定されるものではない。
【０１３２】
次に、ステップ６０２において、ユーザは、表示部２０８に表示されている画像データの一覧の中から、任意の画像データを選択する。テレビ２００は、例えば、操作部２０４によりユーザからの選択指示を受け付けることができる。なお、以下の説明においては、図７に示す画像データの一覧のうち、真ん中下側に表示された動物園の画像データが選択された場合の処理について説明する。
【０１３３】
次に、ステップ６０４において、テレビ２００は、ユーザによりステップ６０２で選択された画像データに含まれる位置情報を抽出する。上述したように、記憶部２１８に記録されている画像データには、緯度・経度を含む位置情報が記録されている。したがって、テレビ２００の備える位置情報抽出部２１０は、ユーザにより選択された画像データに含まれる位置情報を抽出することができる。
【０１３４】
その後、ステップ６０６において、テレビ２００は、ステップ６０４により抽出された位置情報を地図情報提供サーバ３００およびランドマーク情報提供サーバ４００へ送信する。上述したように、本実施形態に係るテレビ２００は、ユーザにより選択された画像データの撮影場所の地図画像や、当該撮影場所の周辺に存在するランドマークに関する情報を、画像データと同時に表示させることができる。
【０１３５】
具体的には、ユーザにより所定の画像データが選択された場合、テレビ２００の備える地図画像取得部２１２は、地図画像要求信号を地図情報提供サーバ３００へ送信する。このとき、地図画像取得部２１２は、ステップ６０４により抽出された位置情報を、地図画像要求信号に含めて地図情報提供サーバ３００へ送信する。さらに、テレビ２００の備えるランドマーク情報取得部２１４は、ランドマーク情報要求信号をランドマーク情報提供サーバ４００へ送信する。このとき、ランドマーク情報取得部２１４は、ステップ６０４により抽出されたランドマーク情報を、ランドマーク情報要求信号に含めてランドマーク情報提供サーバ４００へ送信する。
【０１３６】
これを受けて、地図情報提供サーバ３００は、ステップ６０８において、テレビ２００が要求する地図画像を検索する。地図情報提供サーバ３００は、まず、位置情報取得部３０６が、テレビ２００から送信された地図画像要求信号に含まれる位置情報を抽出する。その後、地図画像検索部３０８は、抽出された位置情報に含まれる緯度・経度の値に基づいて、記憶部３０４に記録されている複数の地図画像から、テレビ２００が要求する地図画像を検索する。
【０１３７】
その後、ステップ６１０において、地図情報提供サーバ３００は、ステップ６０８により検索された地図画像を、テレビ２００へ送信する。なお、ステップ６１０による処理は、地図情報提供サーバ３００が備える地図画像提供部３１０によって行われる。
【０１３８】
これを受けて、テレビ２００は、ステップ６１２において、地図情報提供サーバ３００から送信された地図画像と、ユーザにより選択された画像データとを重ねて表示部２０８に表示させる。テレビ２００の備える表示制御部２０９は、例えば、地図画像の中で、ユーザにより選択された画像データに含まれる緯度・経度に対応する位置に、当該画像データを重ねて表示部２０８に表示させるように制御することができる。
【０１３９】
図８は、ステップ６１２により、地図画像およびユーザにより選択された画像データを表示する表示部２０８の一例を示す説明図である。図８を参照すると、ユーザにより選択された動物園の画像が、当該動物園の所在地を含む地図画像と共に表示されていることがわかる。これにより、ユーザは、選択した画像データを、撮影場所の地図を確認しながら閲覧することができ、旅行先の思い出などを楽しむことができる。なお、図８は、表示部２０８の表示例を示すものであり、地図画像のサイズ、縮尺、画像データの表示サイズなどは、これらに限定されるものではない。
【０１４０】
再度図６を参照すると、ステップ６０６により位置情報を受信したランドマーク情報提供サーバ４００は、ステップ６１４において、テレビ２００が要求するランドマーク情報を検索する。ランドマーク情報提供サーバ４００は、まず、位置情報取得部４０６が、テレビ２００から送信されたランドマーク情報要求信号に含まれる位置情報を抽出する。その後、ランドマーク情報検索部４０８は、抽出された位置情報に含まれる緯度・経度の値に基づいて、記憶部４０４に記録されている複数のランドマーク情報から、テレビ２００が要求するランドマーク情報を検索する。
【０１４１】
その後、ステップ６１６において、ランドマーク情報提供サーバ４００は、ステップ６１４により検索されたランドマーク情報を、テレビ２００へ送信する。なお、ステップ６１６による処理は、ランドマーク情報提供サーバ４００が備えるランドマーク情報提供部４１０によって行われる。
【０１４２】
これを受けて、テレビ２００は、ステップ６１８において、ランドマーク情報提供サーバ４００から送信されたランドマーク情報を、ステップ６１２により表示した画像と同時に表示部２０８に表示させる。テレビ２００の備える表示制御部２０９は、例えば、地図画像の中で、ランドマーク情報提供サーバ４００から送信されたランドマーク情報に含まれる緯度・経度に対応する位置に、ランドマークが存在する記号・アイコン・名称などを重ねて表示部２０８に表示させるように制御することができる。
【０１４３】
図９は、ステップ６１８により、地図画像、ユーザにより選択された画像データおよびランドマーク情報を表示する表示部２０８の一例を示す説明図である。図９を参照すると、ユーザにより選択された動物園の所在地を含む地図画像上のランドマークが存在する位置に、ランドマークが存在することを表すマーク（記号）が表示されていることがわかる。さらに、当該マーク（記号）に対応するランドマークの名称が表示部２０８の右側に一覧として表示されている。これにより、ユーザは、選択した画像データの撮影場所の地図を閲覧するだけでなく、当該撮影場所の周辺に存在するランドマークの情報も認識することができ、旅行先の思い出などをより楽しむことができる。
【０１４４】
なお、図９は、表示部２０８の表示例を示すものであり、地図画像のサイズ、縮尺、画像データの表示サイズ、ランドマーク情報の種類、ランドマーク情報の表示方法などは、これらに限定されるものではない。例えば、図９では、地図画像上に記号を付して、当該記号に対応付けたランドマークの名称を別の表示枠に表示させているが、地図画像上にランドマークの名称を直接表示させてもよい。また、表示させるランドマークの種類を任意にフィルタリングすることなども可能である。例えば、表示させるランドマークの種類をあらかじめ設定しておくことにより、表示制御部２０９は、ランドマーク情報提供サーバ４００から送信された複数のランドマーク情報のうち、設定された種類のランドマーク情報のみを表示部２０８に表示させるように制御することもできる。これにより、ユーザは、例えば、選択した画像データの周辺に存在する遊園地のみを地図画像上に表示させて閲覧することもできる。
【０１４５】
再度図６を参照すると、ステップ６２０において、ユーザは、表示部２０８に表示されているランドマーク情報の中から、任意のランドマーク情報を選択する。テレビ２００は、例えば、操作部２０４によりユーザからの選択指示を受け付けることができる。
【０１４６】
次に、ステップ６２２において、テレビ２００は、ユーザによりステップ６２０で選択されたランドマーク情報を画像共有サーバ５００へ送信する。上述したように、本実施形態に係るテレビ２００は、ユーザにより選択された画像データの撮影場所の周辺に存在するランドマークに関連する画像を、インターネット上の画像共有サービスを提供する画像共有サーバ５００から取得して表示させることができる。
【０１４７】
したがって、ユーザにより所定のランドマーク情報が選択された場合、テレビ２００の備える関連画像取得部２１６は、関連画像要求信号を画像共有サーバ５００へ送信する。このとき、関連画像取得部２１６は、ステップ６２０により選択されたランドマーク情報を、関連画像要求信号に含めて画像共有サーバ５００へ送信する。
【０１４８】
これを受けて、画像共有サーバ５００は、ステップ６２４において、テレビ２００が要求する関連画像を検索する。画像共有サーバ５００は、まず、ランドマーク情報取得部５０６が、テレビ２００から送信された関連画像要求信号に含まれるランドマーク情報を抽出する。その後、関連画像検索部５０８は、抽出されたランドマーク情報に基づいて、記憶部５０４に記録されている複数の画像データの中から、テレビ２００が要求する画像データを検索する。すなわち、関連画像検索部５０８は、抽出されたランドマーク情報と記憶部５０４に記録されている画像データのタグ情報に含まれるランドマーク情報とを比較し、ランドマーク情報が一致した画像データのみを検索する。
【０１４９】
その後、ステップ６２６において、画像共有サーバ５００は、ステップ６２４により検索された画像データを、関連画像としてテレビ２００へ送信する。なお、ステップ６２６による処理は、画像共有サーバ５００が備える関連画像提供部５１０によって行われる。
【０１５０】
これを受けて、テレビ２００は、ステップ６２８において、画像共有サーバ５００から送信された関連画像を、ステップ６１８により表示した画像と同時に表示部２０８に表示させる。テレビ２００の備える表示制御部２０９は、例えば、地図画像の中で、画像共有サーバ５００から送信された関連画像に対応するランドマークの所在地に対応する位置に、当該関連画像を重ねて表示部２０８に表示させるように制御することもできる。また、画像共有サーバ５００から複数の関連画像を受信した場合には、各画像を順次表示させたり、所定の枚数を同時に表示させたりすることもできる。
【０１５１】
図１０は、ステップ６２８により、地図画像、ユーザにより選択された画像データ、ランドマーク情報およびユーザにより選択されたランドマークの関連画像を表示する表示部２０８の一例を示す説明図である。なお、図１０は、ユーザにより、「北海水族館：Ｂ」、「北海灯台：Ｃ」、「北海ドーム：Ｅ」が選択された場合の表示例である。図１０を参照すると、ユーザにより選択されたランドマークが存在する位置に、関連画像が表示されていることがわかる。これにより、ユーザは、選択した画像データの撮影場所の地図や周辺に存在するランドマークの情報を閲覧するだけでなく、当該ランドマークに関連する種々の画像を閲覧することができる。この結果、例えば、旅行先で撮影することができなかった周辺のランドマークの画像を閲覧したり・保存したりして、旅行先の思い出をより楽しむことができる。
【０１５２】
なお、図１０は、表示部２０８の表示例を示すものであり、地図画像のサイズ、縮尺、画像データの表示サイズ、ランドマーク情報の種類、ランドマーク情報の表示方法、関連画像の表示方法などは、これらに限定されるものではない。例えば、図１０では、地図画像上のランドマークの所在地に、当該ランドマークに関連する画像を重ねて表示させているが、関連画像を別の表示枠に表示させてもよい。
【０１５３】
また、関連画像の表示に際しては、表示制御部２０９は、あらかじめ表示方法などを設定情報として記憶しておくことにより、種々の方法で関連画像を表示部２０８に表示させることができる。例えば、デジタルカメラ１０などで撮影された画像データには、通常、撮影日時に関する情報が記録されている。表示制御部２０９は、ステップ６０２により選択された画像の撮影日時と、ステップ６２６により画像共有サーバ５００から送信された関連画像の撮影日時とを比較し、あらかじめ設定された範囲内の日時に撮影された関連画像のみを表示させることもできる。これにより、ユーザは、選択した画像を撮影したのと同じ時期に撮影された、撮影場所の周辺に存在するランドマークの画像を閲覧・取得することができる。また、表示制御部２０９は、ステップ６２８による関連画像の表示において、撮影日時の順番に従って関連画像を表示することもできる。
【０１５４】
また、図６に示した処理フローでは、ステップ６２０でユーザにより選択されたランドマーク情報の関連画像のみをステップ６２６により表示部２０８に表示させているが、本発明はこれに限定されるものではない。例えば、ステップ６２０の処理を省略し、ステップ６１６によりランドマーク情報提供サーバ４００から送信されたランドマーク情報をすべて、ステップ６２２において、自動で関連画像要求信号に含めて画像共有サーバ５００へ送信することもできる。これにより、ユーザは、ステップ６０２において任意の画像データを選択するだけで、当該画像の撮影場所に関する地図画像、当該撮影場所の周辺に存在するランドマークの情報、当該ランドマークに関連する画像を閲覧することができる。
【０１５５】
以上、本実施形態に係る画像処理システム１００における処理の流れについて説明した。このように、本実施形態に係る画像処理システム１００においては、撮影画像に記録されている位置情報に基づいて、ネットワーク上の撮影画像に関する種々のサービスを効率よく利用することが可能である。すなわち、本実施形態に係るテレビ２００は、撮影画像に含まれる位置情報に基づいて、ネットワーク上で種々の地図情報を提供する地図情報提供サーバ３００から、当該撮影画像の撮影場所に関する地図画像を取得することができる。また、テレビ２００は、撮影画像に含まれる位置情報に基づいて、ネットワーク上で種々のランドマーク情報を提供するランドマーク情報提供サーバ４００から、当該撮影画像の撮影場所の周辺に存在するランドマークに関する情報を取得することができる。さらに、テレビ２００は、ランドマーク情報提供サーバ４００から取得したランドマーク情報に基づいて、ネットワーク上で種々の画像を公開する画像共有サーバ５００から、当該ランドマークに関連する画像を取得することができる。この結果、ユーザは、旅行先で撮影した画像を単に閲覧するだけでなく、撮影場所の地図画像、周辺に存在するランドマークの情報、当該ランドマークに関連する画像などを同時に閲覧することができ、旅行先の思い出などを楽しむことができる。
【０１５６】
（８．変形例）
上述した実施形態に係るテレビ２００は、その他種々の機能構成を備えることにより、上述した機能に加えてさらに異なる効果を奏することもできる。以下、上述したテレビ２００に対してさらなる機能構成を備えるテレビ２００の変形例について説明する。
【０１５７】
上述した実施形態に係るテレビ２００は、関連画像を画像共有サーバ５００から取得して表示させることができた。ここで、画像共有サーバ５００は、種々の画像をインターネット上に公開する画像共有サービスを提供するものである。ユーザは、画像共有サーバ５００により公開されている画像データをダウンロードして取得するのみでなく、自己の有する画像データをアップロードしてインターネット上に公開することもできる。また、ユーザは、画像をアップロードする際に、場所、人物、ジャンル、ランドマーク、撮影日時などといった任意のキーワードをタグ情報として付加することができる。変形例のテレビ２００は、ユーザにより選択された画像データに対して、ランドマーク情報提供サーバ４００から取得したランドマーク情報をタグ情報として付加して、画像共有サーバ５００にアップロードすることができることを特徴とする。
【０１５８】
図１１は、変形例のテレビ２００の機能構成の一例を示すブロック図である。図１１に示すように、テレビ２００は、上述した実施形態の機能構成に加えて、画像データアップロード部２２０を含んで構成される。以下、変形例の特徴的部分である画像データアップロード部２２０について説明する。
【０１５９】
画像データアップロード部２２０は、例えば、ＣＰＵ、ＲＯＭ、ＲＡＭ等から構成されており、通信網３０を介して接続されている画像共有サーバ５００が提供する画像共有サービスに、所定の画像データをアップロードする。
【０１６０】
具体的には、画像データアップロード部２２０は、所定の画像データに対して、ランドマーク情報取得部２１４が取得したランドマーク情報をタグ情報として付加する。また、画像データアップロード部２２０は、ランドマーク情報を付加した画像データを、通信制御部２０２を介して画像共有サーバ５００へ送信する。画像データアップロード部２２０は、例えば、ユーザが、表示部２０８に表示されている画像データを選択した場合に、当該画像データをインターネット上に公開するアップロード要求信号を画像共有サーバ５００へ送信する。このとき、画像データアップロード部２２０は、ランドマーク情報取得部２１４により取得されたランドマーク情報を画像データに付加し、当該アップロード要求信号に含めて画像共有サーバ５００へ送信する。これを受けて、画像共有サーバ５００は、アップロード要求信号に含まれる画像データを、インターネット上に公開することができる。
【０１６１】
図１２は、このような変形例の画像処理システムを実現する画像共有サーバ５００の機能構成の一例を示すブロック図である。図１２に示すように、画像共有サーバ５００は、上述した実施形態の機能構成に加えて、アップロード制御部５１２を含んで構成される。以下、画像共有サーバ５００の特徴的部分であるアップロード制御部５１２について説明する。
【０１６２】
アップロード制御部５１２は、例えば、ＣＰＵ、ＲＯＭ、ＲＡＭ等から構成されており、テレビ２００から送信されたアップロード要求信号に含まれる画像データを記憶部２１８に記録し、当該画像をインターネット上に公開する。上述したように、テレビ２００から送信されるアップロード要求信号には、ランドマーク情報をタグ情報として含む画像データが含まれている。したがって、アップロード制御部５１２により、インターネット上の画像共有サービスで公開される画像データには、ランドマーク情報がタグ情報として記録されている。これにより、画像共有サーバ５００が提供するインターネット上の画像共有サービスにおいて、当該ランドマーク情報に基づいて画像データを検索した場合、テレビ２００により送信された画像データが検索されることとなる。このように、テレビ２００を利用するユーザは、自分で撮影した画像データに、ランドマーク情報を自動で付加してインターネット上に公開させることができる。
【０１６３】
図１３は、ユーザにより選択された画像データを、テレビ２００により画像共有サーバ５００が提供するインターネット上の画像共有サービスにアップロードする処理の流れを示す説明図である。なお、ステップ６００からステップ６１８による処理は、図６に示した処理と同様であるため個々では省略する。
【０１６４】
ステップ６４０において、ユーザは、表示部２０８に表示されている画像データを、インターネット上に公開する画像データとして選択する。テレビ２００は、例えば、操作部２０４によりユーザからの選択指示を受け付けることができる。
【０１６５】
次に、ステップ６４２において、テレビ２００は、ユーザによりステップ６４０で選択された画像データに対して、ステップ６１６でランドマーク情報提供サーバ４００から送信されたランドマーク情報をタグ情報として付加する。
【０１６６】
その後、ステップ６４４において、テレビ２００は、ランドマーク情報が付加された画像データを含むアップロード要求信号を、画像共有サーバ５００へ送信する。なお、ステップ６４２およびステップ６４４による処理は、テレビ２００が備える画像データアップロード部２２０により行われる。
【０１６７】
これを受けて、画像共有サーバ５００は、ステップ６４６において、テレビ２００から送信された画像データをインターネット上の画像共有サービスにおいて公開する。画像共有サーバ５００は、まず、アップロード制御部５１２が、テレビ２００から送信されたアップロード要求信号に含まれる画像データを抽出して、記憶部５０４に記録する。その後、アップロード制御部５１２は、記憶部５０４に記録した画像データを、インターネット上で提供する画像共有サービスにおいて公開する。
【０１６８】
以上、撮影画像にランドマーク情報を付加してインターネット上の画像共有サービスに公開することが可能なテレビ２００の変形例について説明した。このように、変形例のテレビ２００は、撮影画像に記録されている位置情報に基づいて、ネットワーク上の撮影画像に関する種々のサービスを効率よく利用することが可能である。すなわち、テレビ２００は、撮影画像に含まれる位置情報に基づいて、ネットワーク上で種々のランドマーク情報を提供するランドマーク情報提供サーバ４００から、当該撮影画像の撮影場所の周辺に存在するランドマークに関する情報を取得することができる。さらに、テレビ２００は、ランドマーク情報提供サーバ４００から取得したランドマーク情報を画像データに付加して、当該画像データを、インターネット上で提供される画像共有サービスにアップロードして公開することができる。この結果、ユーザは、旅行先で撮影した画像を単に閲覧するだけでなく、撮影場所（ランドマーク）の情報をタグ情報として付加し、当該画像データをインターネット上に一般公開させることができる。
【０１６９】
（９．画像処理装置のハードウェア構成）
次に、上述したテレビ２００に代表される画像処理装置のハードウェア構成について説明する。図１４は、上述した実施形態の各種機能を実願することが可能な画像処理装置のハードウェア構成を説明するためのブロック図である。
【０１７０】
画像処理装置は、主に、ＣＰＵ９０１と、ＲＯＭ９０３と、ＲＡＭ９０５と、ホストバス９０７と、ブリッジ９０９と、外部バス９１１と、インターフェース９１３と、入力装置９１５と、出力装置９１７と、ストレージ装置９１９と、ドライブ９２１と、接続ポート９２３と、通信装置９２５とを備える。
【０１７１】
ＣＰＵ９０１は、演算処理装置および制御装置として機能し、ＲＯＭ９０３、ＲＡＭ９０５、ストレージ装置９１９、またはリムーバブル記録媒体２０に記録された各種プログラムに従って、画像処理装置内の動作全般またはその一部を制御する。ＲＯＭ９０３は、ＣＰＵ９０１が使用するプログラムや演算パラメータ等を記憶する。ＲＡＭ９０５は、ＣＰＵ９０１の実行において使用するプログラムや、その実行において適宜変化するパラメータ等を一次記憶する。これらは、ＣＰＵバス等の内部バスにより構成されるホストバス９０７により相互に接続されている。
【０１７２】
ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。
【０１７３】
入力装置９１５は、例えば、ポインタ、マウス、キーボード、タッチパネル、ボタン、スイッチおよびレバーなどユーザが操作する操作手段である。また、入力装置９１５は、例えば、赤外線やその他の電波を利用したリモートコントロール手段（いわゆる、リモコン）であってもよいし、画像処理装置の操作に対応したデジタルカメラ、携帯電話、ＰＤＡ等の外部接続機器９２９であってもよい。さらに、入力装置９１５は、例えば、上記の操作手段を用いてユーザにより入力された情報に基づいて入力信号を生成し、ＣＰＵ９０１に出力する入力制御回路などから構成されている。画像処理装置のユーザは、この入力装置９１５を操作することにより、画像処理装置に対して各種のデータを入力したり処理動作を指示したりすることができる。
【０１７４】
出力装置９１７は、例えば、ＣＲＴディスプレイ装置、液晶ディスプレイ装置、プラズマディスプレイ装置、ＥＬディスプレイ装置およびランプなどの表示装置などのように、取得した情報をユーザに対して視覚的に通知することが可能な装置で構成される。また、出力装置９１７は、スピーカおよびヘッドホンなどの音声出力装置など、取得した情報をユーザに対して聴覚的に通知することが可能な装置を含んで構成されてもよい。出力装置９１７は、例えば、画像処理装置が行った各種処理により得られた結果を出力する。具体的には、表示装置は、画像処理装置が行った各種処理により得られた結果を、テキストまたはイメージで表示する。他方、音声出力装置は、再生された音声データや音響データ等からなるオーディオ信号をアナログ信号に変換して出力する。上述した実施形態においては、出力装置９１７は、撮影画像、地図画像、関連画像などのイメージや、ランドマーク情報などのテキスト情報を表示させることができる。
【０１７５】
ストレージ装置９１９は、画像処理装置の記憶部の一例として構成されたデータ格納用の装置であり、例えば、ＨＤＤ（Ｈａｒｄ  Ｄｉｓｋ  Ｄｒｉｖｅ）等の磁気記憶部デバイス、半導体記憶デバイス、光記憶デバイス、または光磁気記憶デバイス等により構成される。このストレージ装置９１９は、ＣＰＵ９０１が実行するプログラムや各種データ、および外部から取得した画像信号データなどを格納する。
【０１７６】
ドライブ９２１は、記録媒体用リーダライタであり、画像処理装置に内蔵、あるいは外付けされる。ドライブ９２１は、装着されている磁気ディスク、光ディスク、光磁気ディスク、または半導体メモリ等のリムーバブル記録媒体２０に記録されている情報を読み出して、ＲＡＭ９０５に出力する。また、ドライブ９２１は、装着されている磁気ディスク、光ディスク、光磁気ディスク、または半導体メモリ等のリムーバブル記録媒体２０に記録を書き込むことも可能である。リムーバブル記録媒体２０は、例えば、ＤＶＤメディア、ＨＤ−ＤＶＤメディア、Ｂｌｕ−ｒａｙ（登録商標）メディア、コンパクトフラッシュ（登録商標）、メモリースティック（登録商標）、または、ＳＤメモリカード等である。また、リムーバブル記録媒体２０は、例えば、非接触型ＩＣチップを搭載したＩＣカード（Ｉｎｔｅｇｒａｔｅｄ  Ｃｉｒｃｕｉｔ  ｃａｒｄ）または電子機器等であってもよい。
【０１７７】
接続ポート９２３は、例えば、ＵＳＢ（Ｕｎｉｖｅｒｓａｌ  Ｓｅｒｉａｌ  Ｂｕｓ）ポート、ｉ．Ｌｉｎｋ等のＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポート、ＲＳ−２３２Ｃポート、光オーディオ端子、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ポート等の、機器を画像処理装置に直接接続するためのポートである。この接続ポート９２３に外部接続機器９２９を接続することで、画像処理装置は、外部接続機器９２９から直接音響信号データや画像信号データを取得したり、外部接続機器９２９に音響信号データや画像信号データを提供したりする。
【０１７８】
通信装置９２５は、例えば、通信網３０に接続するための通信デバイス等で構成された通信インターフェースである。通信装置９２５は、例えば、有線または無線ＬＡＮ（Ｌｏｃａｌ  Ａｒｅａ  Ｎｅｔｗｏｒｋ）、Ｂｌｕｅｔｏｏｔｈ用の通信カード、光通信用のルータ、または、各種通信用のモデム等である。この通信装置９２５は、例えば、インターネットや他の通信機器との間で、例えばＴＣＰ／ＩＰ等の所定のプロトコルに則して信号等を送受信することができる。また、通信装置９２５に接続される通信網３０は、有線または無線によって接続されたネットワーク等により構成され、例えば、インターネット、家庭内ＬＡＮ、赤外線通信、ラジオ波通信または衛星通信等であってもよい。
【０１７９】
以上、本発明の各実施形態に係る画像処理装置の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。また、画像処理装置としてテレビジョン受像機を利用する場合、放送受信用のアンテナ、チューナー、デコーダなどの放送受信に必要なハードウェア構成を追加的に備えることも当然に可能である。
【０１８０】
また、本発明の実施形態における各種サーバ３００、４００、５００の機能を実現可能なハードウェア構成についても、図１４に示した画像処理装置のハードウェア構成と同様の機能を備えることにより実現することが可能であるため、詳細は省略する。
【０１８１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１８２】
例えば、上記実施形態では、画像処理装置の一例としてテレビジョン受像機２００を例に説明したが、本発明はかかる例に限定されない。画像処理装置は、画像データを表示するディスプレイ、および各種サーバと通信可能な通信制御部を備えるものであれば、例えば、パーソナルコンピュータなどであってもよい。また、上記実施形態では、撮影画像としてデジタルカメラ１０で撮影されたデジタル画像を中心に説明したが、本発明はかかる例に限定されない。画像データは、緯度・経度などの位置情報が記録されたものであればよく、例えば、ＧＰＳ機能を備える携帯電話、ＰＤＡ、音楽プレイヤー、ゲーム機器などにより撮影されたものであってもよい。
【０１８３】
また、本明細書において、シーケンス図に記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。例えば、図６に示した処理フローでは、説明の便宜上、地図情報提供サーバ３００から地図画像が送信（ステップ６１０）された後に、ランドマーク情報提供サーバ４００からランドマーク情報が送信（ステップ６１６）されている。しかしながら、これらの処理は並列的に行われるものであり、順番が前後することも、同時に行われることも当然に可能である。
【図面の簡単な説明】
【０１８４】
【図１】本実施形態の１つに係るテレビ２００を利用した画像処理システム１００の全体構成を示す説明図である。
【図２】同実施形態に係るテレビ２００の機能構成を示すブロック図である。
【図３】同実施形態に係る地図情報提供サーバ３００の機能構成を示すブロック図である。
【図４】同実施形態に係るランドマーク情報提供サーバ４００の機能構成を示すブロック図である。
【図５】同実施形態に係る画像共有サーバ５００の機能構成を示すブロック図である。
【図６】同実施形態に係る画像処理システム１００における、情報処理の流れを示す説明図である。
【図７】同実施形態において、テレビ２００の表示部２０８による画像データの一覧の表示例を示す説明図である。
【図８】同実施形態において、テレビ２００の表示部２０８による画像データおよび地図画像の表示例を示す説明図である。
【図９】同実施形態において、テレビ２００の表示部２０８による画像データ、地図画像およびランドマーク情報の表示例を示す説明図である。
【図１０】同実施形態において、テレビ２００の表示部２０８による画像データ、地図画像、ランドマーク情報および関連画像の表示例を示す説明図である。
【図１１】同実施形態の変形例のテレビ２００の機能構成を示すブロック図である。
【図１２】同実施形態の変形例の画像共有サーバ５００の機能構成を示すブロック図である。
【図１３】同実施形態の変形例の画像処理システム１００における、情報処理の流れを示す説明図である。
【図１４】同実施形態に係る画像処理装置のハードウェア構成の一例を示すブロック図である。
【符号の説明】
【０１８５】
１０    デジタルカメラ
２０    記録媒体
３０    通信網
１００    画像処理システム
２００    テレビ
２０２、３０２、４０２、５０２    通信制御部
２０４    操作部
２０６    画像データ取得部
２０８    表示部
２０９    表示制御部
２１０    位置情報抽出部
２１２    地図画像取得部
２１４、５０６    ランドマーク情報取得部
２１６    関連画像取得部
２１８、３０４、４０４、５０４    記憶部
２２０    画像データアップロード部
３００    地図情報提供サーバ
３０６、４０６    位置情報取得部
３０８    地図画像検索部
３１０    地図画像提供部
４００    ランドマーク情報提供サーバ
４０８    ランドマーク情報検索部
４１０    ランドマーク情報提供部
５００    画像共有サーバ
５１２    アップロード制御部
５０８    関連画像検索部
５１０    関連画像提供部
【図１】
2010128709.tif 000003
【図２】
2010128709.tif 000004
【図３】
2010128709.tif 000005
【図４】
2010128709.tif 000006
【図５】
2010128709.tif 000007
【図６】
2010128709.tif 000008
【図７】
2010128709.tif 000009
【図８】
2010128709.tif 000010
【図９】
2010128709.tif 000011
【図１０】
2010128709.tif 000012
【図１１】
2010128709.tif 000013
【図１２】
2010128709.tif 000014
【図１３】
2010128709.tif 000015
【図１４】
2010128709.tif 000016